(57)【要約】【課題】作業者の体力や土壌地盤の硬さに合わせて掘削手段を任意に選択できる手動式の井戸掘り装置とそれを使用した井戸掘り方法の提供を図る。【解決手段】手動式の杭打具と、複数の掘鉄管と、該掘鉄管の先端にパイプニップルを介して連結される突き棒鉄管と、土壌回収鉄管と、逆止弁付鉄管と、で構成される井戸掘り装置であって、該杭打具は、所要の長さを有するハンマー筒体と、該ハンマー筒体に装着される複数のウエイトと、把持部で成り、掘鉄管は、所定の長さを有する鉄パイプから成り、突き棒鉄管は、外筒部には複数の通水穴を穿設し、下端には突き棒先端部が形成される所定の長さを有する鉄パイプから成り、土壌回収鉄管は、外筒部長手方向には複数の差し込み長孔を形成し、下端には開口部が形成される所定の長さを有する鉄パイプから成り、逆止弁付鉄管は、下端開口部には逆止弁を備える所定の長さを有する鉄パイプから成る手段を採る。【選択図】図１
2018168685.tif 000002
【特許請求の範囲】
【請求項１】
手動式の杭打具と、複数の堀鉄管と、該堀鉄管の先端に内ネジ管継ぎ手を介して連結される突き棒鉄管と、土壌回収鉄管と、逆止弁付鉄管と、で構成される手動式の井戸掘り装置であって、
前記杭打具は、所要の長さを有するハンマー筒体と、該ハンマー筒体に装着される複数のウエイトと、で構成され、該ハンマー筒体の外筒部の側面には、ウエイトを着脱自在に装着する係止・固定手段を備えると共に、長手方向に延設して上下操作を可能にする把手部を左右対称に突設して成り、
前記堀鉄管は、上下端内筒部には連結ネジ部が形成される所定の長さを有する鉄パイプから成り、
前記突き棒鉄管は、上端内筒部には連結ネジ部を形成すると共に、外筒部には複数の通水穴を穿設し、下端には突き棒先端部が形成される所定の長さを有する鉄パイプから成り、
前記土壌回収鉄管は、上端内筒部には連結ネジ部を形成すると共に、外筒部長手方向には複数の差し込み長孔を形成し、下端には開口部が形成される所定の長さを有する鉄パイプから成り、
前記逆止弁付鉄管は、上端内筒部には連結ネジ部を形成すると共に、下端開口部には逆止弁を備える所定の長さを有する鉄パイプから成ることを特徴とする手動式の井戸掘り装置。
【請求項２】
前記杭打具の上方部に吊持用の吊フックを設けたことを特徴とする請求項１記載の手動式の井戸掘り装置。
【請求項３】
前記ハンマー筒体の把手部の内側に段階的に把持できる水平把手部を設けたことを特徴とする請求項１または請求項２記載の手動式杭打具。
【請求項４】
前記請求項１〜請求項３記載の手動式の井戸掘り装置を使用した井戸掘り方法であって、
通常硬さの土壌地盤ならびに砂利層地盤での掘削作業では、連結される前記堀鉄管の先端部に前記突き棒鉄管を連結して打ち抜きしながら掘削し、
硬い土壌地盤での掘削作業では、連結される前記堀鉄管の先端部に土壌回収鉄管を連結して硬い土壌を回収しながら掘削し、
泥層地盤での掘削作業では、連結される前記堀鉄管の先端部に逆止弁付鉄管を連結して泥層を回収しながら掘削し、
さらに、作業者の体力がない場合ならびに長時間作業時での掘削作業では、前記杭打具に装着される複数のウエイトの数量を増減させて掘削することを特徴とする井戸掘り方法。
【発明の詳細な説明】
【技術分野】
【０００１】  本発明は、作業者の体力や土壌地盤の硬さに合わせて掘削手段を任意に選択できる手動式の井戸掘り装置とそれを使用した井戸掘り方法に関する。
【背景技術】
【０００２】  従来における井戸掘り手段としては、油圧、水圧、電動、重機を利用した機械的手段と、Ｔ字形スクリュー、挟み込みスコップ、打撃ハンマー、スコップ、スライドハンマー、櫓などを利用した手動的手段など多種多様の井戸掘り装置ならびに井戸掘り手段が日常的に広く使用されている。【０００３】  しかしながら、上記における機械的手段は、装置自体が大型化ならびに重量化になると共に、その操作方法に関しても熟練された操作技能ならびに運転資格を有する井戸掘り業者に依頼しなければならず、さらにまた井戸掘り費用においても高額化となるものであった。一方、手動的な手段においては、比較的低費用で掘削することができるが、作業の時間の長期化ならびに重労働の負担を大きく強いられるものであった。【０００４】  上記の問題点を解決する方法としては、一人作業による簡易的な装置で杭打ちができる手動式の杭打具を利用した井戸掘り手段を選択する方法が考えられる。【０００５】  上記における手動式の杭打具の提案としては、例えば、上下に長い直管状のハンマ−筒の外面に少なくとも一対のハンドル棒を固定する。ハンマ−筒の上端に平坦な打撃面を備えたストライカ−を固定する。ハンマ−筒を杭の上部に外嵌し、外嵌状態を維持したままで杭打具を打ち降ろし操作し、杭を打ち込む構造を有して一人の作業者のみで杭打ちを開始できること、杭に欠け落ちや割れなどの打ち傷を生じないこと、打ち損じによる補助作業者の負傷を避けられることなど、杭打ち作業を能率よく、安全に行えるようにした「杭打具」（特許文献１）が提案され、公知技術となっている。【０００６】  また、杭に嵌挿させると共に、嵌挿時に杭の頭部が衝止する天井部を備えた金属製の本体部に、この本体部を上下操作するための把手と、この本体部の荷重を増大させるための重りとを形成する。上記の把手を本体部の左右位置に本体部の長手方向に沿って形成する。上記の重り部を本体部と同心状に形成する構造を有して、杭の頭部を壊すことなく、杭を真直ぐに、簡単、迅速、且つ楽に打つことができ、又長い杭の場合でも踏み台を必要とすることなく、杭を設置できるようにした「手動式の杭打ち器具」（特許文献２）が提案され、公知技術となっている。【０００７】  しかしながら、上記における手動式の杭打具を使用した何れの提案も、地中に杭を打ち込むための機能ならびに手段に限定されるもので、井戸掘り装置としての機能ならびに手段を備えていないものであり、さらにウエイト調整がハンマー本体内に装着されるウエイトに限定されることから、作業者の体力や打ち込む土壌地盤の硬さに合わせてウエイト調整ができないといった問題があるものだった。【０００８】  また、手動式の井戸掘り具の提案としては、例えば、風圧で土砂を井戸掘り器に取り込むことができる「打ち抜き井戸掘り器」（特許文献３）や、地下水を積極的に利用し上水道の節約を図ることができる「打抜き井戸掘り具」（特許文献４）が提案され、公知技術となっている。【０００９】  しかしながら、上記における手動式の井戸掘り具の何れの提案も、作業者の体力や土壌地盤の硬さに合わせて掘削手段を任意に選択することができる機能を備える井戸掘り装置ではなかった。【００１０】  本出願人は、一般家庭のユーザーによって容易且つ簡単に井戸掘りができる井戸掘り装置が未だ提供されていない現実と、自宅の庭や菜園に使用する井戸水の利用需要が高いことに着目し、軽量且つ安価であると共に、使い勝手の良い井戸掘り装置が提供できないものかという着想の下、作業者の体力や土壌地盤の硬さに合わせてウエイト調整ができる手動式の井戸掘り装置を開発し、本発明における「手動式の井戸掘り装置とそれを使用した井戸掘り方法」の提案に至るものである。
【先行技術文献】
【特許文献】
【００１１】
【特許文献１】実開平７−２５０３６号公報
【特許文献２】特開平１１−２９３６７３号公報
【特許文献３】特開２０１５−０１０４６８号公報
【特許文献４】実用新案登録第３０２８３８３号公報
【発明の概要】
【発明が解決しようとする課題】
【００１２】  本発明は上記問題点を鑑み、作業者の体力や土壌地盤の硬さに合わせて掘削手段を任意に選択できる手動式の井戸掘り装置とそれを使用した井戸掘り方法の提供を図ることを課題とする。
【課題を解決するための手段】
【００１３】  本発明は上記課題を解決するためになされるもので、本発明における手動式の井戸掘り装置は、手動式の杭打具と、複数の堀鉄管と、該堀鉄管の先端に内ネジ管継ぎ手を介して連結される突き棒鉄管と、土壌回収鉄管と、逆止弁付鉄管と、で構成される手動式の井戸掘り装置であって、前記杭打具は、所要の長さを有するハンマー筒体と、該ハンマー筒体に装着される複数のウエイトと、で構成され、該ハンマー筒体の外筒部の側面には、ウエイトを着脱自在に装着する係止・固定手段を備えると共に、長手方向に延設して上下操作を可能にする把手部を左右対称に突設して成り、前記堀鉄管は、上下端内筒部には連結ネジ部が形成される所定の長さを有する鉄パイプから成り、前記突き棒鉄管は、上端内筒部には連結ネジ部を形成すると共に、外筒部には複数の通水穴を穿設し、下端には突き棒先端部が形成される所定の長さを有する鉄パイプから成り、前記土壌回収鉄管は、上端内筒部には連結ネジ部を形成すると共に、外筒部長手方向には複数の差し込み長孔を形成し、下端には開口部が形成される所定の長さを有する鉄パイプから成り、前記逆止弁付鉄管は、上端内筒部には連結ネジ部を形成すると共に、下端開口部には逆止弁を備える所定の長さを有する鉄パイプから成る手段を採る。【００１４】  また、本発明における手動式の井戸掘り装置は、前記杭打具の上方部に吊持用の吊フックを設けた手段を採る。【００１５】  また、本発明における手動式の井戸掘り装置は、前記ハンマー筒体の把手部の内側に段階的に把持できる水平把手部を設けた手段を採る。【００１６】  また、本発明における手動式の井戸掘り装置とそれを使用した井戸掘り方法は、前記請求項１〜請求項３記載の手動式の井戸掘り装置を使用した井戸掘り方法であって、通常硬さの土壌地盤ならびに砂利層地盤での掘削作業では、連結される前記堀鉄管の先端部に前記突き棒鉄管を連結して打ち抜きしながら掘削し、硬い土壌地盤での掘削作業では、連結される前記堀鉄管の先端部に土壌回収鉄管を連結して硬い土壌を回収しながら掘削し、泥層地盤での掘削作業では、連結される前記堀鉄管の先端部に逆止弁付鉄管を連結して泥層を回収しながら掘削し、さらに、作業者の体力がない場合ならびに長時間作業時での掘削作業では、前記杭打具に装着される複数のウエイトの数量を増減させて掘削する手段を採る。
【発明の効果】
【００１７】  本発明の手動式の井戸掘り装置によれば、井戸掘り装置が小型軽量で電気や油圧による駆動力を必要としないことから、井戸を掘削する場所を選ばないと共に、電力が供給されない場所や大型機械が設置できないような狭い場所や軟弱な場所であっても井戸掘り作業が容易にできるといった優れた効果を奏する。【００１８】  また、本発明の手動式の井戸掘り装置によれば、杭打具のウエイト調整が、ハンマー筒体の内筒内に複数設けられることで、作業者の体力ならびに地盤の硬さに合わせてウエイト調整が容易にできるといった優れた効果を奏する。【００１９】  また、本発明の手動式の井戸掘り装置によれば、杭打具が、ハンマー筒体と該ハンマー筒体の内筒部に挿嵌されるウエイトのみの簡易構造で構成されていることから、運搬ならびに収納が容易であるといった優れた効果を奏する。【００２０】  また、本発明の手動式の井戸掘り装置によれば、本体自体が小型軽量で製品価格が安価であることから、一般家庭の園芸用品としてや井戸掘り業者以外の井戸掘り用の装置として幅広く使用できるといった優れた効果を奏する。【００２１】  また、本発明の手動式の井戸掘り装置によれば、ハンマー筒体またはウエイトの上端面に吊持用の吊フックを設けることによって、簡易的な三点支持の櫓を組んで打ち下ろす工法を採ることができることによって、長時間に亘る井戸掘り作業が容易にできるといった優れた効果を奏する。【００２２】  また、本発明の手動式の井戸掘り装置によれば、ハンマー筒体の把手部の内側に段階的に把持することができる水平把手部を設けることによって、ハンマー筒体を打ち込む高さの変化に合わせて把持する箇所を持ち直すことで作業労働の軽減化が図れるといった優れた効果を奏する。
【図面の簡単な説明】
【００２３】
【図１】本発明の手動式の井戸掘り装置における実施形態を示す説明図である。（実施例１）
【図２】本発明の手動式の井戸掘り装置におけるその他の実施形態を示す説明図である。（実施例２）
【図３】本発明の手動式の井戸掘り装置におけるその他の実施形態を示す説明図である。（実施例３）
【図４】本発明の手動式の井戸掘り装置を使用した井戸掘り方法における通常硬さの土壌地盤ならびに砂利層地盤での掘削作業状態を示す説明図である。（実施例４）
【図５】本発明の手動式の井戸掘り装置を使用した井戸掘り方法における硬い土壌地盤での掘削作業状態を示す説明図である。
【図６】本発明の手動式の井戸掘り装置を使用した井戸掘り方法における泥層地盤での掘削作業状態を示す説明図である。
【図７】本発明の手動式の井戸掘り装置を使用した井戸掘り方法におけるその他の作業状態を示す説明図である。
【発明を実施するため形態】
【００２４】  本発明における手動式の井戸掘り装置１０は、手動式の杭打具２０と、複数の堀鉄管３０と、該堀鉄管３０の先端に内ネジ管継ぎ手７１を介して連結される突き棒鉄管４０と、土壌回収鉄管５０と、逆止弁付鉄管６０と、で構成される手段を採ったことを最大の特徴とする。以下、本発明の実施形態を図面に基づいて説明する。
【００２５】  尚、本発明の手動式の井戸掘り装置１０とそれを使用した井戸掘り方法は、以下に述べる実施例に限定されるものではなく、本発明の技術的思想の範囲内、すなわち同一の作用効果を発揮できる形状及び寸法の範囲内で適宜変更することができる。
【実施例１】
【００２６】  図１は、本発明の手動式の井戸掘り装置における実施形態を示す説明図である。
本発明の手動式の井戸掘り装置１０は、手動式の杭打具２０と、複数の堀鉄管３０と、該堀鉄管３０の先端に内ネジ管継ぎ手７１を介して連結される突き棒鉄管４０と、土壌回収鉄管５０と、逆止弁付鉄管６０と、で構成される。【００２７】  杭打具２０は、所要の長さを有するハンマー筒体２１と、該ハンマー筒体２１に装着される複数のウエイト２３を有する金属製のパイプ管で形成され、該ハンマー筒体２１の外筒部の側面には、ウエイト２３を着脱自在に装着する係止・固定手段２２を備えると共に、長手方向に延設して上下操作を可能にする把手部２５を左右対称に突設して形成される。【００２８】  係止・固定手段２２は、その構造は特に限定するものではないが、例えば、図示されるようなスライド長孔２２ａと、落とし込み穴２２ｂと、係止ネジ穴２２ｃと、ねじ込み係止ピン２２ｅと、で構成される。【００２９】  スライド長孔２２ａは、ウエイト２３を貫通するねじ込み係止ピン２２ｅが上下に移動してハンマー筒体２１のスライド量を調整する目的で設けられる。【００３０】  落とし込み穴２２ｂは、ウエイト２３を貫通するねじ込み係止ピン２２ｅの頭部が落とし込まれる穴で、所定の間隔を空けて複数設けられることで、複数のウエイト２３を一定の位置に係止させておく役目を果たす。【００３１】  係止ネジ穴２２ｃは、ウエイト２３を貫通するねじ込み係止ピン２２ｅの先端に設けられたネジ部２２ｆが螺合されるネジ穴で、打ち込む際にウエイト２３をハンマー筒体２１の内筒内における移動や、脱落を防止するために確実に固定させる役割を果たす。【００３２】  ねじ込み係止ピン２２ｅは、ハンマー筒体２１の所定の間隔を空けた複数の落とし込み穴２２ｂを有するスライド長孔２２ａと係止ネジ穴２２ｃに通され、ウエイト２３をハンマー筒体２１の内筒部の所定の箇所に係止・固定させる役目を果たす。【００３３】  ウエイト２３は、一又は複数備えられ、作業者の体力や地盤の硬さに合わせて任意に選択することができる。また、外筒部の一端には、ねじ込み係止ピン２２ｅが貫通する貫通穴２２ｄが穿設され、ハンマー筒体２１の内筒部に係止・固定される。【００３４】  把手部２５は、パイプ管を略コの字状に屈曲させてハンマー筒体２１の外筒部の長手方向に延設して左右対称に突設されるもので、掘削作業時において作業者の上下操作を容易にする目的で設けられる。【００３５】  堀鉄管３０は、上下端内筒部には連結ネジ部７０が形成される所定の長さを有する鉄パイプによって形成され、掘削深度に合わせて複数連結し、上端部に衝止キャップ７２を螺着させて上端部の打撃による変形を防ぐことで安定的に井戸掘り作業を行う掘削作業に使用される。【００３６】  突き棒鉄管４０は、上端内筒部には連結ネジ部７０を形成すると共に、外筒部には複数の通水穴４２を穿設し、下端には突き棒先端部４１が形成される所定の長さを有する鉄パイプによって形成され、通常硬さの土壌地盤Ｇならびに砂利層地盤Ｓでの掘削作業に使用される。【００３７】  土壌回収鉄管５０は、上端内筒部には連結ネジ部７０を形成すると共に、外筒部長手方向には打ち込まれることによって内筒内に回収（充填）した硬い土壌を掻き出し棒で掻き出す役目を果たす複数の差し��み長孔５１を形成すると共に、下端には開口部５２が形成される所定の長さを有する鉄パイプによって形成され、硬い土壌地盤Ｒでの掘削作業に使用される。【００３８】  逆止弁付鉄管６０は、上端内筒部には連結ネジ部７０を形成すると共に、下端開口部５２には逆止弁６１を備える所定の長さを有する鉄パイプによって形成され、泥層地盤Ｄでの掘削作業に使用される。【００３９】  衝止キャップ７２は、最上位置の堀鉄管３０の連結ネジ部７０に螺合して、堀鉄管３０の連結ネジ部７０の変形を防ぐ目的で装着されるものであるが、本発明の杭打具２０は、堀鉄管３０の上端面に対して真上から垂直に衝止する構造であることから、堀鉄管３０の上端面が変形することがないが、杭打ち作業などその他の使用目的にあわせて補助的に備えられる。【００４０】  以上で構成される本発明の手動式の井戸掘り装置１０は、井戸掘り装置１０が手動式で移動が容易であることから、井戸を掘削する場所を選ばず、掘削する機械が設置できないような狭い場所や軟弱な場所であっても容易に掘削することができ、さらに杭打具２０のウエイト２３調整がハンマー筒体２１の内筒内に複数設けられることで、作業者の体力ならびに土壌地盤の硬さに合わせて容易にウエイト２３調整ができ、またさらに、杭打具２０が、ハンマー筒体２１と該ハンマー筒体２１の内筒部に挿嵌されるウエイト２３のみの簡易構造で構成されていることによって、製品価格が安価である上、運搬ならびに収納が容易であると共に、本体自体が小型軽量であることから、一般家庭の園芸用品として幅広く使用でき、さらにまた、ハンマー筒体２１またはウエイト２３の上端面に吊持用の吊フック２４を設けることによって、簡易的な三点支持の櫓７３を組んで打ち下ろす工法を採用することができるため、長時間に亘る打ち込み作業や、硬い土壌地盤に容易に打ち込むことができる手動式の井戸掘り装置１０の提供を可能にする。
【実施例２】
【００４１】  図２は、本発明の手動式の井戸掘り装置におけるその他の実施形態を示す説明図である。
本発明の手動式の井戸掘り装置１０は、杭打具２０の上方部に吊持用の吊フック２４を設けた手段を採ることができる。【００４２】  吊フック２４は、ハンマー筒体２１の上方部に形成されるもので、運搬用フックとしてや荷役用フックとして利用することができる。
尚、吊フック２４の形状は特に限定するものではなく、取り付け個所も例えば、最上位置のウエイト２３に取り付けることもできる。【００４３】  以上で構成される本発明の手動式の井戸掘り装置１０は、ハンマー筒体２１の上方部に吊持用の吊フック２４を設ける手段を採ることによって、簡易的な三点支持の櫓７３を組んで滑車７４ならびにロープ７５を介して手動式の杭打具２０を上下動させて打ち抜くことができるため、長時間に亘る打ち込み作業や、硬い土壌地盤に打ち込む作業が容易にできると共に、井戸掘り深度が深い場合、チェーン７７とレバーブロック７６を使用して掘鉄管３０を一旦引き上げ、土壌の硬さに合わせて打ち込み鉄管の種類を任意に選択して井戸掘り作業を掘り下げていくことができる手動式の井戸掘り装置１０の提供を可能にする。
【実施例３】
【００４４】  図３は、本発明の手動式の井戸掘り装置におけるその他の実施形態を示す説明図である。
本発明の手動式の井戸掘り装置１０は、ハンマー筒体２１の把手部２５の内側に段階的に把持できる水平把手部２５ａを設けた手段を採ることができる。【００４５】  水平把手部２５ａは、ハンマー筒体２１の外筒部に突設される持ち手の内側の部分を多段階にして打ち込み作業がやり易い構造とするものである。【００４６】  以上で構成される本発明の手動式の井戸掘り装置１０は、ハンマー筒体２１の把手部２５の内側に段階的に把持できる水平把手部２５ａを設けることによって、ハンマー筒体２１を打ち込む高さに合わせて把持する箇所を持ち直すことで作業能率の軽減化が図れる手動式の井戸掘り装置１０の提供を可能にする。
【実施例４】
【００４７】  図４は、本発明の本発明の手動式の井戸掘り装置を使用した井戸掘り方法における通常硬さの土壌地盤ならびに砂利層地盤での掘削作業状態を示す説明図である。
通常硬さの土壌地盤Ｇならびに砂利層地盤Ｓでの掘削作業では鉄パイプの上端内筒部には連結ネジ部７０を形成すると共に、外筒部には水脈層Ｗを流れる水量を吸い上げる複数の通水穴４２を穿設し、下端には突き棒先端部４１が形成される所定の長さを有する鉄パイプから成る突き棒鉄管４０を連結して手動式の杭打具２０を上下動させて掘削する井戸掘り方法を採る。【００４８】  以上で構成される本発明の手動式の井戸掘り装置１０を使用した井戸掘り方法は、通常硬さの土壌地盤Ｇならびに砂利層地盤Ｓでは、複数の堀鉄管３０の先端に突き棒鉄管４０を連結させて使用することで、水脈層Ｗに到達する井戸掘り作業を本出願人の井戸掘り実績では９０％の確率で達成することができる。
また、掘削作業中に栗石や硬い障害物に突き当たった場合は、掘削穴位置を変更して掘削作業の効率化を図る方法を選択する。【００４９】  図５は、本発明の本発明の手動式の井戸掘り装置を使用した井戸掘り方法における硬い土壌地盤での掘削作業状態を示す説明図である。
硬い土壌地盤Ｒでの掘削作業では、上下端内筒部には連結ネジ部７０が形成される所定の長さを有する鉄パイプから成る堀鉄管３０の先端部に土壌回収鉄管５０を連結して手動式の杭打具２０を上下動させて硬い土壌を壌回収鉄管５０の内筒内に回収（充填）しながら掘削する井戸掘り方法を採る。【００５０】  以上で構成される本発明の手動式の井戸掘り装置１０を使用した井戸掘り方法は、硬い土壌地盤Ｒでの掘削作業では、掘削抵抗を小さくするために、土壌回収鉄管５０の先端を鋭角あるいは歯形状にすることも考えられる。【００５１】  図６は、本発明の本発明の手動式の井戸掘り装置を使用した井戸掘り方法における泥層地盤での掘削作業状態を示す説明図である。
泥層地盤Ｄでの掘削作業では、連結される堀鉄管３０の先端部に上端内筒部には連結ネジ部７０を形成すると共に、下端開口部５２には逆止弁６１を備える所定の長さを有する鉄パイプから成る逆止弁付鉄管６０を連結して手動式の杭打具２０を上下動させて泥層を逆止弁付鉄管６０の内筒内に回収（充填）しながら掘削する井戸掘り方法を採る。【００５２】  以上で構成される本発明の手動式の井戸掘り装置１０を使用した井戸掘り方法は、泥層地盤Ｄでの掘削作業では、通常は突き棒鉄管４０を使用して掘削していくことが可能であるが、大量の水分を含有する泥層を掘削していく場合においても、逆止弁付鉄管６０の内筒内に泥層を回収（充填）して掘削することもできる。【００５３】  図７は、本発明の手動式の井戸掘り装置を使用した井戸掘り方法におけるその他の作業状態を示す説明図である。
図７（ａ）は掘鉄管３０を回収する状態を示す説明図である。
チェーン７７を堀鉄管３０に二重に掛け渡し、櫓７３に連結されたレバーブロック７６で連結される堀鉄管３０を順次引き上げるもので、堀鉄管３０に連結された突き棒鉄管４０を一旦引き上げ、内ネジ管継ぎ手７１で追加する掘鉄管３０を継ぎ足し、再度堀鉄管３０に連結された突き棒鉄管４０を地中に打ち込み、井戸掘り作業を進めていく。尚、引き上げる際に櫓７３の脚部に引き上げ荷重が集中するため、足場プレートなどの安定板を敷設しておく。【００５４】  図７（ｂ）は、櫓７３を組んで打撃による打ち抜き掘削する状態を示す説明図である。手動式の杭打具２０の把持部２５を把持して井戸掘り作業を行うことが作業者の体力の上で困難になった場合は、櫓７３に装着された手動式の杭打具２０をロープ７５で上下動させることで容易に井戸掘り作業ができる。【００５５】  以上で構成される本発明の手動式の井戸掘り装置１０を使用した井戸掘り方法は、簡易的な三点支持の櫓７３を組んで打ち下ろす工法を採ることによって、長時間に亘る打ち込み作業や、硬い土壌地盤を容易に打ち込むことができる手動式の井戸掘り装置１０の提供を可能にする。
【産業上の利用可能性】
【００５６】  本発明の手動式の井戸掘り装置とそれを使用した井戸掘り方法は、一人作業で杭などを容易且つ安全に打ち込むことができる手動式の杭打具として利用することができる上、手動式の井戸掘り装置としても利用ができることから、本発明の「手動式の井戸掘り装置とそれを使用した井戸掘り方法」の産業上の利用可能性は極めて大であるものと思料する。
【符号の説明】
【００５７】１０    井戸掘り装置
２０    杭打具
２１    ハンマー筒体
２２    係止・固定手段
２２ａ  スライド長孔
２２ｂ  落とし込み穴
２２ｃ  係止ネジ穴
２２ｄ  貫通穴
２２ｅ  ねじ込み係止ピン
２２ｆ  ネジ部
２３    ウエイト
２４    吊フック
２５    把手部
２５ａ  水平把手部
３０    堀鉄管
４０    突き棒鉄管
４１    突き棒先端部
４２    通水穴
５０    土壌回収鉄管
５１    差し込み長孔
６０    逆止弁付鉄管
６１    逆止弁
７０    連結ネジ部
７１    内ネジ管継ぎ手
７２    衝止キャップ
７３    櫓
７４    滑車
７５    ロープ
７６    レバーブロック
７７    チェーン
Ｇ    通常硬さの土壌地盤
Ｒ    硬い土壌地盤
Ｓ    砂利層地盤
Ｄ    泥層地盤
Ｗ    水脈層
【図１】
2018168685.tif 000003
【図２】
2018168685.tif 000004
【図３】
2018168685.tif 000005
【図４】
2018168685.tif 000006
【図５】
2018168685.tif 000007
【図６】
2018168685.tif 000008
【図７】
2018168685.tif 000009
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
手動式の杭打具と、複数の掘鉄管と、該掘鉄管の先端に内ネジ管継ぎ手を介して連結される突き棒鉄管と、土壌回収鉄管と、逆止弁付鉄管と、で構成される手動式の井戸掘り装置であって、
前記杭打具は、所要の長さを有するハンマー筒体と、該ハンマー筒体に装着される複数のウエイトと、で構成され、該ハンマー筒体の外筒部の側面には、ウエイトを着脱自在に装着する係止・固定手段を備えると共に、長手方向に延設して上下操作を可能にする把手部を左右対称に突設して成り、
前記掘鉄管は、上下端内筒部には連結ネジ部が形成される所定の長さを有する鉄パイプから成り、
前記突き棒鉄管は、上端内筒部には連結ネジ部を形成すると共に、外筒部には複数の通水穴を穿設し、下端には突き棒先端部が形成される所定の長さを有する鉄パイプから成り、
前記土壌回収鉄管は、上端内筒部には連結ネジ部を形成すると共に、外筒部長手方向には複数の差し込み長孔を形成し、下端には開口部が形成される所定の長さを有する鉄パイプから成り、
前記逆止弁付鉄管は、上端内筒部には連結ネジ部を形成すると共に、下端開口部には逆止弁を備える所定の長さを有する鉄パイプから成ることを特徴とする手動式の井戸掘り装置。
【請求項２】
前記杭打具の上方部に吊持用の吊フックを設けたことを特徴とする請求項１記載の手動式の井戸掘り装置。
【請求項３】
前記ハンマー筒体の把手部の内側に段階的に把持できる水平把手部を設けたことを特徴とする請求項１または請求項２記載の手動式の井戸掘り装置。
【請求項４】
前記請求項１〜請求項３記載の手動式の井戸掘り装置を使用した井戸掘り方法であって、
通常硬さの土壌地盤ならびに砂利層地盤での掘削作業では、連結される前記掘鉄管の先端部に前記突き棒鉄管を連結して打ち抜きしながら掘削し、
硬い土壌地盤での掘削作業では、連結される前記掘鉄管の先端部に土壌回収鉄管を連結して硬い土壌を回収しながら掘削し、
泥層地盤での掘削作業では、連結される前記掘鉄管の先端部に逆止弁付鉄管を連結して泥層を回収しながら掘削し、
さらに、作業者の体力がない場合ならびに長時間作業時での掘削作業では、前記杭打具に装着される複数のウエイトの数量を増減させて掘削することを特徴とする井戸掘り方法。
【手続補正２】
【補正対象書類名】明細書
【補正対象項目名】全文
【補正方法】変更
【補正の内容】
【発明の詳細な説明】
【技術分野】
【０００１】
本発明は、作業者の体力や土壌地盤の硬さに合わせて掘削手段を任意に選択できる手動式の井戸掘り装置とそれを使用した井戸掘り方法に関する。
【背景技術】
【０００２】
従来における井戸掘り手段としては、油圧、水圧、電動、重機を利用した機械的手段と、Ｔ字形スクリュー、挟み込みスコップ、打撃ハンマー、スコップ、スライドハンマー、櫓などを利用した手動的手段など多種多様の井戸掘り装置ならびに井戸掘り手段が日常的に広く使用されている。
【０００３】
しかしながら、上記における機械的手段は、装置自体が大型化ならびに重量化になると共に、その操作方法に関しても熟練された操作技能ならびに運転資格を有する井戸掘り業者に依頼しなければならず、さらにまた井戸掘り費用においても高額化となるものであった。一方、手動的な手段においては、比較的低費用で掘削することができるが、作業の時間の長期化ならびに重労働の負担を大きく強いられるものであった。
【０００４】
上記の問題点を解決する方法としては、一人作業による簡易的な装置で杭打ちができる手動式の杭打具を利用した井戸掘り手段を選択する方法が考えられる。
【０００５】
上記における手動式の杭打具の提案としては、例えば、上下に長い直管状のハンマ−筒の外面に少なくとも一対のハンドル棒を固定する。ハンマ−筒の上端に平坦な打撃面を備えたストライカ−を固定する。ハンマ−筒を杭の上部に外嵌し、外嵌状態を維持したままで杭打具を打ち降ろし操作し、杭を打ち込む構造を有して一人の作業者のみで杭打ちを開始できること、杭に欠け落ちや割れなどの打ち傷を生じないこと、打ち損じによる補助作業者の負傷を避けられることなど、杭打ち作業を能率よく、安全に行えるようにした「杭打具」（特許文献１）が提案され、公知技術となっている。
【０００６】
また、杭に嵌挿させると共に、嵌挿時に杭の頭部が衝止する天井部を備えた金属製の本体部に、この本体部を上下操作するための把手と、この本体部の荷重を増大させるための重りとを形成する。上記の把手を本体部の左右位置に本体部の長手方向に沿って形成する。上記の重り部を本体部と同心状に形成する構造を有して、杭の頭部を壊すことなく、杭を真直ぐに、簡単、迅速、且つ楽に打つことができ、又長い杭の場合でも踏み台を必要とすることなく、杭を設置できるようにした「手動式の杭打ち器具」（特許文献２）が提案され、公知技術となっている。
【０００７】
しかしながら、上記における手動式の杭打具を使用した何れの提案も、地中に杭を打ち込むための機能ならびに手段に限定されるもので、井戸掘り装置としての機能ならびに手段を備えていないものであり、さらにウエイト調整がハンマー本体内に装着されるウエイトに限定されることから、作業者の体力や打ち込む土壌地盤の硬さに合わせてウエイト調整ができないといった問題があるものだった。
【０００８】
また、手動式の井戸掘り具の提案としては、例えば、風圧で土砂を井戸掘り器に取り込むことができる「打ち抜き井戸掘り器」（特許文献３）や、地下水を積極的に利用し上水道の節約を図ることができる「打抜き井戸掘り具」（特許文献４）が提案され、公知技術となっている。
【０００９】
しかしながら、上記における手動式の井戸掘り具の何れの提案も、作業者の体力や土壌地盤の硬さに合わせて掘削手段を任意に選択することができる機能を備える井戸掘り装置ではなかった。
【００１０】
本出願人は、一般家庭のユーザーによって容易且つ簡単に井戸掘りができる井戸掘り装置が未だ提供されていない現実と、自宅の庭や菜園に使用する井戸水の利用需要が高いことに着目し、軽量且つ安価であると共に、使い勝手の良い井戸掘り装置が提供できないものかという着想の下、作業者の体力や土壌地盤の硬さに合わせてウエイト調整ができる手動式の井戸掘り装置を開発し、本発明における「手動式の井戸掘り装置とそれを使用した井戸掘り方法」の提案に至るものである。
【先行技術文献】
【特許文献】
【００１１】
【特許文献１】実開平７−２５０３６号公報
【特許文献２】特開平１１−２９３６７３号公報
【特許文献３】特開２０１５−０１０４６８号公報
【特許文献４】実用新案登録第３０２８３８３号公報
【発明の概要】
【発明が解決しようとする課題】
【００１２】
本発明は上記問題点を鑑み、作業者の体力や土壌地盤の硬さに合わせて掘削手段を任意に選択できる手動式の井戸掘り装置とそれを使用した井戸掘り方法の提供を図ることを課題とする。
【課題を解決するための手段】
【００１３】
本発明は上記課題を解決するためになされるもので、本発明における手動式の井戸掘り装置は、手動式の杭打具と、複数の掘鉄管と、該掘鉄管の先端に内ネジ管継ぎ手を介して連結される突き棒鉄管と、土壌回収鉄管と、逆止弁付鉄管と、で構成される手動式の井戸掘り装置であって、前記杭打具は、所要の長さを有するハンマー筒体と、該ハンマー筒体に装着される複数のウエイトと、で構成され、該ハンマー筒体の外筒部の側面には、ウエイトを着脱自在に装着する係止・固定手段を備えると共に、長手方向に延設して上下操作を可能にする把手部を左右対称に突設して成り、前記掘鉄管は、上下端内筒部には連結ネジ部が形成される所定の長さを有する鉄パイプから成り、前記突き棒鉄管は、上端内筒部には連結ネジ部を形成すると共に、外筒部には複数の通水穴を穿設し、下端には突き棒先端部が形成される所定の長さを有する鉄パイプから成り、前記土壌回収鉄管は、上端内筒部には連結ネジ部を形成すると共に、外筒部長手方向には複数の差し込み長孔を形成し、下端には開口部が形成される所定の長さを有する鉄パイプから成り、前記逆止弁付鉄管は、上端内筒部には連結ネジ部を形成すると共に、下端開口部には逆止弁を備える所定の長さを有する鉄パイプから成る手段を採る。
【００１４】
また、本発明における手動式の井戸掘り装置は、前記杭打具の上方部に吊持用の吊フックを設けた手段を採る。
【００１５】
また、本発明における手動式の井戸掘り装置は、前記ハンマー筒体の把手部の内側に段階的に把持できる水平把手部を設けた手段を採る。
【００１６】
また、本発明における手動式の井戸掘り装置とそれを使用した井戸掘り方法は、前記請求項１〜請求項３記載の手動式の井戸掘り装置を使用した井戸掘り方法であって、通常硬さの土壌地盤ならびに砂利層地盤での掘削作業では、連結される前記掘鉄管の先端部に前記突き棒鉄管を連結して打ち抜きしながら掘削し、硬い土壌地盤での掘削作業では、連結される前記掘鉄管の先端部に土壌回収鉄管を連結して硬い土壌を回収しながら掘削し、泥層地盤での掘削作業では、連結される前記掘鉄管の先端部に逆止弁付鉄管を連結して泥層を回収しながら掘削し、さらに、作業者の体力がない場合ならびに長時間作業時での掘削作業では、前記杭打具に装着される複数のウエイトの数量を増減させて掘削する手段を採る。
【発明の効果】
【００１７】
本発明の手動式の井戸掘り装置によれば、井戸掘り装置が小型軽量で電気や油圧による駆動力を必要としないことから、井戸を掘削する場所を選ばないと共に、電力が供給されない場所や大型機械が設置できないような狭い場所や軟弱な場所であっても井戸掘り作業が容易にできるといった優れた効果を奏する。
【００１８】
また、本発明の手動式の井戸掘り装置によれば、杭打具のウエイト調整が、ハンマー筒体の内筒内に複数設けられることで、作業者の体力ならびに地盤の硬さに合わせてウエイト調整が容易にできるといった優れた効果を奏する。
【００１９】
また、本発明の手動式の井戸掘り装置によれば、杭打具が、ハンマー筒体と該ハンマー筒体の内筒部に挿嵌されるウエイトのみの簡易構造で構成されていることから、運搬ならびに収納が容易であるといった優れた効果を奏する。
【００２０】
また、本発明の手動式の井戸掘り装置によれば、本体自体が小型軽量で製品価格が安価であることから、一般家庭の園芸用品としてや井戸掘り業者以外の井戸掘り用の装置として幅広く使用できるといった優れた効果を奏する。
【００２１】
また、本発明の手動式の井戸掘り装置によれば、ハンマー筒体またはウエイトの上端面に吊持用の吊フックを設けることによって、簡易的な三点支持の櫓を組んで打ち下ろす工法を採ることができることによって、長時間に亘る井戸掘り作業が容易にできるといった優れた効果を奏する。
【００２２】
また、本発明の手動式の井戸掘り装置によれば、ハンマー筒体の把手部の内側に段階的に把持することができる水平把手部を設けることによって、ハンマー筒体を打ち込む高さの変化に合わせて把持する箇所を持ち直すことで作業労働の軽減化が図れるといった優れた効果を奏する。
【図面の簡単な説明】
【００２３】
【図１】本発明の手動式の井戸掘り装置における実施形態を示す説明図である。（実施例１）
【図２】本発明の手動式の井戸掘り装置におけるその他の実施形態を示す説明図である。（実施例２）
【図３】本発明の手動式の井戸掘り装置におけるその他の実施形態を示す説明図である。（実施例３）
【図４】本発明の手動式の井戸掘り装置を使用した井戸掘り方法における通常硬さの土壌地盤ならびに砂利層地盤での掘削作業状態を示す説明図である。（実施例４）
【図５】本発明の手動式の井戸掘り装置を使用した井戸掘り方法における硬い土壌地盤での掘削作業状態を示す説明図である。
【図６】本発明の手動式の井戸掘り装置を使用した井戸掘り方法における泥層地盤での掘削作業状態を示す説明図である。
【図７】本発明の手動式の井戸掘り装置を使用した井戸掘り方法におけるその他の作業状態を示す説明図である。
【発明を実施するための形態】
【００２４】
本発明における手動式の井戸掘り装置１０は、手動式の杭打具２０と、複数の掘鉄管３０と、該掘鉄管３０の先端に内ネジ管継ぎ手７１を介して連結される突き棒鉄管４０と、土壌回収鉄管５０と、逆止弁付鉄管６０と、で構成される手段を採ったことを最大の特徴とする。以下、本発明の実施形態を図面に基づいて説明する。
【００２５】
尚、本発明の手動式の井戸掘り装置１０とそれを使用した井戸掘り方法は、以下に述べる実施例に限定されるものではなく、本発明の技術的思想の範囲内、すなわち同一の作用効果を発揮できる形状及び寸法の範囲内で適宜変更することができる。
【実施例１】
【００２６】
図1は、本発明の手動式の井戸掘り装置における実施形態を示す説明図である。本発明の手動式の井戸掘り装置１０は、手動式の杭打具２０と、複数の掘鉄管３０と、該掘鉄管３０の先端に内ネジ管継ぎ手７１を介して連結される突き棒鉄管４０と、土壌回収鉄管５０と、逆止弁付鉄管６０と、で構成される。
【００２７】
杭打具２０は、所要の長さを有するハンマー筒体２１と、該ハンマー筒体２１に装着される複数のウエイト２３を有する金属製のパイプ管で形成され、該ハンマー筒体２１の外筒部の側面には、ウエイト２３を着脱自在に装着する係止・固定手段２２を備えると共に、長手方向に延設して上下操作を可能にする把手部２５を左右対称に突設して形成される。
【００２８】
係止・固定手段２２は、その構造は特に限定するものではないが、例えば、図示されるようなスライド長孔２２aと、落とし込み穴２２bと、係止ネジ穴２２cと、ねじ込み係止ピン２２eと、で構成される。
【００２９】
スライド長孔２２aは、ウエイト２３を貫通するねじ込み係止ピン２２eが上下に移動してハンマー筒体２１のスライド量を調整する目的で設けられる。
【００３０】
落とし込み穴２２bは、ウエイト２３を貫通するねじ込み係止ピン２２eの頭部が落とし込まれる穴で、所定の間隔を空けて複数設けられることで、複数のウエイト２３を一定の位置に係止させておく役目を果たす。
【００３１】
係止ネジ穴２２cは、ウエイト２３を貫通するねじ込み係止ピン２２eの先端に設けられたネジ部２２fが螺合されるネジ穴で、打ち込む際にウエイト２３をハンマー筒体２１の内筒内における移動や、脱落を防止するために確実に固定させる役割を果たす。
【００３２】
ねじ込み係止ピン２２eは、ハンマー筒体２１の所定の間隔を空けた複数の落とし込み穴２２bを有するスライド長孔２２aと係止ネジ穴２２cに通され、ウエイト２３をハンマー筒体２１の内筒部の所定の箇所に係止・固定させる役目を果たす。
【００３３】
ウエイト２３は、一又は複数備えられ、作業者の体力や地盤の硬さに合わせて任意に選択することができる。また、外筒部の一端には、ねじ込み係止ピン２２eが貫通する貫通穴２２dが穿設され、ハンマー筒体２１の内筒部に係止・固定される。
【００３４】
把手部２５は、パイプ管を略コの字状に屈曲させてハンマー筒体２１の外筒部の長手方向に延設して左右対称に突設されるもので、掘削作業時において作業者の上下操作を容易にする目的で設けられる。
【００３５】
掘鉄管３０は、上下端内筒部には連結ネジ部７０が形成される所定の長さを有する鉄パイプによって形成され、掘削深度に合わせて複数連結し、上端部に衝止キャップ７２を螺着させて上端部の打撃による変形を防ぐことで安定的に井戸掘り作業を行う掘削作業に使用される。
【００３６】
突き棒鉄管４０は、上端内筒部には連結ネジ部７０を形成すると共に、外筒部には複数の通水穴４２を穿設し、下端には突き棒先端部４１が形成される所定の長さを有する鉄パイプによって形成され、通常硬さの土壌地盤Ｇならびに砂利層地盤Ｓでの掘削作業に使用される。
【００３７】
土壌回収鉄管５０は、上端内筒部には連結ネジ部７０を形成すると共に、外筒部長手方向には打ち込まれることによって内筒内に回収（充填）した硬い土壌を掻き出し棒で掻き出す役目を果たす複数の差し込み長孔５１を形成すると共に、下端には開口部５２が形成される所定の長さを有する鉄パイプによって形成され、硬い土壌地盤Ｒでの掘削作業に使用される。
【００３８】
逆止弁付鉄管６０は、上端内筒部には連結ネジ部７０を形成すると共に、下端開口部５２には逆止弁６１を備える所定の長さを有する鉄パイプによって形成され、泥層地盤Ｄでの掘削作業に使用される。
【００３９】
衝止キャップ７２は、最上位置の掘鉄管３０の連結ネジ部７０に螺合して、掘鉄管３０の連結ネジ部７０の変形を防ぐ目的で装着されるものであるが、本発明の杭打具２０は、掘鉄管３０の上端面に対して真上から垂直に衝止する構造であることから、掘鉄管３０の上端面が変形することがないが、杭打ち作業などその他の使用目的にあわせて補助的に備えられる。
【００４０】
以上で構成される本発明の手動式の井戸掘り装置１０は、井戸掘り装置１０が手動式で移動が容易であることから、井戸を掘削する場所を選ばず、掘削する機械が設置できないような狭い場所や軟弱な場所であっても容易に掘削することができ、さらに杭打具２０のウエイト２３調整がハンマー筒体２１の内筒内に複数設けられることで、作業者の体力ならびに土壌地盤の硬さに合わせて容易にウエイト２３調整ができ、またさらに、杭打具２０が、ハンマー筒体２１と該ハンマー筒体２１の内筒部に挿嵌されるウエイト２３のみの簡易構造で構成されていることによって、製品価格が安価である上、運搬ならびに収納が容易であると共に、本体自体が小型軽量であることから、一般家庭の園芸用品として幅広く使用でき、さらにまた、ハンマー筒体２１またはウエイト２３の上端面に吊持用の吊フック２４を設けることによって、簡易的な三点支持の櫓７３を組んで打ち下ろす工法を採用することができるため、長時間に亘る打ち込み作業や、硬い土壌地盤に容易に打ち込むことができる手動式の井戸掘り装置１０の提供を可能にする。
【実施例２】
【００４１】
図２は、本発明の手動式の井戸掘り装置におけるその他の実施形態を示す説明図である。
本発明の手動式の井戸掘り装置１０は、杭打具２０の上方部に吊持用の吊フック２４を設けた手段を採ることができる。
【００４２】
吊フック２４は、ハンマー筒体２１の上方部に形成されるもので、運搬用フックとしてや荷役用フックとして利用することができる。
尚、吊フック２４の形状は特に限定するものではなく、取り付け個所も例えば、最上位置のウエイト２３に取り付けることもできる。
【００４３】
以上で構成される本発明の手動式の井戸掘り装置１０は、ハンマー筒体２１の上方部に吊持用の吊フック２４を設ける手段を採ることによって、簡易的な三点支持の櫓７３を組んで滑車７４ならびにロープ７５を介して手動式の杭打具２０を上下動させて打ち抜くことができるため、長時間に亘る打ち込み作業や、硬い土壌地盤に打ち込む作業が容易にできると共に、井戸掘り深度が深い場合、チェーン７７とレバーブロック７６を使用して掘鉄管３０を一旦引き上げ、土壌の硬さに合わせて打ち込み鉄管の種類を任意に選択して井戸掘り作業を掘り下げていくことができる手動式の井戸掘り装置１０の提供を可能にする。
尚、レバーブロックは登録商標である。
【実施例３】
【００４４】
図３は、本発明の手動式の井戸掘り装置におけるその他の実施形態を示す説明図である。
本発明の手動式の井戸掘り装置１０は、ハンマー筒体２１の把手部２５の内側に段階的に把持できる水平把手部２５aを設けた手段を採ることができる。
【００４５】
水平把手部２５aは、ハンマー筒体２１の外筒部に突設される持ち手の内側の部分を多段階にして打ち込み作業がやり易い構造とするものである。
【００４６】
以上で構成される本発明の手動式の井戸掘り装置１０は、ハンマー筒体２１の把手部２５の内側に段階的に把持できる水平把手部２５aを設けることによって、ハンマー筒体２１を打ち込む高さに合わせて把持する箇所を持ち直すことで作業能率の軽減化が図れる手動式の井戸掘り装置１０の提供を可能にする。
【実施例４】
【００４７】
図４は、本発明の本発明の手動式の井戸掘り装置を使用した井戸掘り方法における通常硬さの土壌地盤ならびに砂利層地盤での掘削作業状態を示す説明図である。
通常硬さの土壌地盤Ｇならびに砂利層地盤Ｓでの掘削作業では鉄パイプの上端内筒部には連結ネジ部７０を形成すると共に、外筒部には水脈層Ｗを流れる水量を吸い上げる複数の通水穴４２を穿設し、下端には突き棒先端部４１が形成される所定の長さを有する鉄パイプから成る突き棒鉄管４０を連結して手動式の杭打具２０を上下動させて掘削する井戸掘り方法を採る。
【００４８】
以上で構成される本発明の手動式の井戸掘り装置１０を使用した井戸掘り方法は、通常硬さの土壌地盤Ｇならびに砂利層地盤Ｓでは、複数の掘鉄管３０の先端に突き棒鉄管４０を連結させて使用することで、水脈層Ｗに到達する井戸掘り作業を本出願人の井戸掘り実績では９０％の確率で達成することができる。
また、掘削作業中に栗石や硬い障害物に突き当たった場合は、掘削穴位置を変更して掘削作業の効率化を図る方法を選択する。
【００４９】
図５は、本発明の本発明の手動式の井戸掘り装置を使用した井戸掘り方法における硬い土壌地盤での掘削作業状態を示す説明図である。
硬い土壌地盤Ｒでの掘削作業では、上下端内筒部には連結ネジ部７０が形成される所定の長さを有する鉄パイプから成る掘鉄管３０の先端部に土壌回収鉄管５０を連結して手動式の杭打具２０を上下動させて硬い土壌を壌回収鉄管５０の内筒内に回収（充填）しながら掘削する井戸掘り方法を採る。
【００５０】
以上で構成される本発明の手動式の井戸掘り装置１０を使用した井戸掘り方法は、硬い土壌地盤Ｒでの掘削作業では、掘削抵抗を小さくするために、土壌回収鉄管５０の先端を鋭角あるいは歯形状にすることも考えられる。
【００５１】
図６は、本発明の本発明の手動式の井戸掘り装置を使用した井戸掘り方法における泥層地盤での掘削作業状態を示す説明図である。
泥層地盤Ｄでの掘削作業では、連結される掘鉄管３０の先端部に上端内筒部には連結ネジ部７０を形成すると共に、下端開口部５２には逆止弁６１を備える所定の長さを有する鉄パイプから成る逆止弁付鉄管６０を連結して手動式の杭打具２０を上下動させて泥層を逆止弁付鉄管６０の内筒内に回収（充填）しながら掘削する井戸掘り方法を採る。
【００５２】
以上で構成される本発明の手動式の井戸掘り装置１０を使用した井戸掘り方法は、泥層地盤Ｄでの掘削作業では、通常は突き棒鉄管４０を使用して掘削していくことが可能であるが、大量の水分を含有する泥層を掘削していく場合においても、逆止弁付鉄管６０の内筒内に泥層を回収（充填）して掘削することもできる。
【００５３】
図７は、本発明の手動式の井戸掘り装置を使用した井戸掘り方法におけるその他の作業状態を示す説明図である。
図７(a)は掘鉄管３０を回収する状態を示す説明図である。
チェーン７７を掘鉄管３０に二重に掛け渡し、櫓７３に連結されたレバーブロック７６で連結される掘鉄管３０を順次引き上げるもので、掘鉄管３０に連結された突き棒鉄管４０を一旦引き上げ、内ネジ管継ぎ手７１で追加する掘鉄管３０を継ぎ足し、再度掘鉄管３０に連結された突き棒鉄管４０を地中に打ち込み、井戸掘り作業を進めていく。尚、引き上げる際に櫓７３の脚部に引き上げ荷重が集中するため、足場プレートなどの安定板を敷設しておく。
【００５４】
図７(b)は、櫓７３を組んで打撃による打ち抜き掘削する状態を示す説明図である。
手動式の杭打具２０の把持部２５を把持して井戸掘り作業を行うことが作業者の体力の上で困難になった場合は、櫓７３に装着された手動式の杭打具２０をロープ７５で上下動させることで容易に井戸掘り作業ができる。
【００５５】
以上で構成される本発明の手動式の井戸掘り装置１０を使用した井戸掘り方法は、簡易的な三点支持の櫓７３を組んで打ち下ろす工法を採ることによって、長時間に亘る打ち込み作業や、硬い土壌地盤を容易に打ち込むことができる手動式の井戸掘り装置１０の提供を可能にする。
【産業上の利用可能性】
【００５６】
本発明の手動式の井戸掘り装置とそれを使用した井戸掘り方法は、一人作業で杭などを容易且つ安全に打ち込むことができる手動式の杭打具として利用することができる上、手動式の井戸掘り装置としても利用ができることから、本発明の「手動式の井戸掘り装置とそれを使用した井戸掘り方法」の産業上の利用可能性は極めて大であるものと思料する。
【符号の説明】
【００５７】
１０  井戸掘り装置
２０  杭打具
２１  ハンマー筒体
２２  係止・固定手段
２２a スライド長孔
２２b 落とし込み穴
２２c 係止ネジ穴
２２d 貫通穴
２２e ねじ込み係止ピン
２２f ネジ部
２３  ウエイト
２４  吊フック
２５  把手部
２５a 水平把手部
３０  掘鉄管
４０  突き棒鉄管
４１  突き棒先端部
４２  通水穴
５０  土壌回収鉄管
５１  差し込み長孔
６０  逆止弁付鉄管
６１  逆止弁
７０  連結ネジ部
７１  内ネジ管継ぎ手
７２  衝止キャップ
７３  櫓
７４  滑車
７５  ロープ
７６  レバーブロック
７７  チェーン
Ｇ  通常硬さの土壌地盤
Ｒ  硬い土壌地盤
Ｓ  砂利層地盤
Ｄ  泥層地盤
Ｗ  水脈層